(57)【要約】【課題】商品等の収納物を袋体へ収納する作業効率に優れ、収納された商品を陳列等する際にも嵩張らず、限られたスペースを有効に利用して陳列することができるフィルム製袋体を提供する。【解決手段】袋部２０およびヘッダー部３０からなり、袋部２０の一側縁に装入口２４が設けられたフィルム製の袋体であって、装入口２４より収納物が装入された後、前面フィルム２２ａおよび後面フィルム２２ｂが熱接着され、装入口２４が封止されていることを特徴とする。【選択図】図３
2008120419.tif 000002
【特許請求の範囲】
【請求項１】
一側縁に装入口が設けられたフィルムからなる袋体であって、該装入口より収納物が装入され、該装入口が熱接着により封止されてなることを特徴とするフィルム製袋体。
【請求項２】
前記袋体は前記収納物が収納される袋部とヘッダー部とからなり、該ヘッダー部に前記収納物を吊下陳列するための吊下用孔が形成されていることを特徴とする請求項１に記載のフィルム製袋体。
【請求項３】
前記装入口には段差が設けられていることを特徴とする請求項１または２に記載のフィルム製袋体。
【請求項４】
前記袋体は２軸延伸ポリプロピレンフィルムにより構成されていることを特徴とする請求項１〜３に記載のフィルム製袋体。
【請求項５】
フィルムからなる袋体の一側縁に形成された装入口より陳列する商品を装入し、該装入口を熱接着により封止することで装入した商品を収納するようにしたことを特徴とする商品収納方法。
【発明の詳細な説明】
【技術分野】
【０００１】
本発明は、フィルム製袋体および商品収納方法に関し、更に詳しくは、カード、コンパクトディスク（ＣＤ）、ゲームソフト等の各種商品が店頭等において陳列される際に使用されるフィルム製袋体およびそれを用いた商品収納方法に関するものである。
【背景技術】
【０００２】
従来より、小売店等では、カード、ＣＤ、ゲームソフト等の商品の陳列用として、商品が視認できるように透明のフィルムにより形成されたフィルム製袋体が使用されている（例えば特許文献１参照）。
【０００３】
図５にこのようなフィルム製袋体への商品等の収納方法を説明した図を示す。フィルム製袋体１００は、主に商品等の収納物（本図ではトレーディングカード１０２）が収納される袋部１１０、吊下用孔１２２が形成されたヘッダー部１２０からなる。図５（ａ）および（ｂ）に示されるように、トレーディングカード１０２は、袋部１１０に設けられた装入口１１４から装入され、その装入後、蓋部１１６を図５（ｃ）に示されるように折り畳んで貼着層１１８に貼り付けることで装入口１１４が封止される。
【０００４】
【特許文献１】特開２００５−１７８８３８号公報
【発明の開示】
【発明が解決しようとする課題】
【０００５】
このようなフィルム製袋体１００を使用する場合、商品等を袋部１１０に収納し、この蓋部１１６を折り返して装入口１１４を封止する際、袋部１１０と蓋部１１６の両側縁を合わせて貼着層１１８に貼り付けるという慎重な作業が要求されるため、商品収納の作業効率が非常に悪いという問題があった。
【０００６】
また、このように商品が収納されたフィルム製袋体１００は、蓋部１１６が折り返されるため、商品収納時の厚みが増し、店頭等において吊下陳列等する際に嵩張ってしまい、陳列できる商品量が限られてしまうという問題があった。
【０００７】
本発明が解決しようとする課題は、商品等の収納物を袋体へ収納する作業効率に優れ、収納された商品を陳列する際にも嵩張らず、店頭等の限られたスペースを有効に利用して商品を陳列することができるフィルム製袋体および商品収納方法を提供することにある。
【課題を解決するための手段】
【０００８】
上記課題を解決するために本発明に係るフィルム製袋体は、一側縁に装入口が設けられたフィルムからなる袋体であって、該装入口より収納物が装入され、該装入口が熱接着により封止されてなることを要旨とするものである。
【０００９】
この場合、請求項２に記載のように、前記袋体は前記収納物が収納される袋部とヘッダー部とからなり、該ヘッダー部に前記収納物を吊下陳列するための吊下用孔が形成されておればさらに好適である。
【００１０】
また、請求項３に記載のように、前記装入口に段差が設けられるようにすればよい。さらに、請求項４に記載のように、前記袋体が２軸延伸ポリプロピレンフィルムで構成されておればよい。
【００１１】
また、本発明に係る商品収納方法は、フィルムからなる袋体の一側縁に形成された装入口より陳列する商品を装入し、該装入口を熱接着により封止することで装入した商品を収納するようにしたことを要旨とするものである。
【発明の効果】
【００１２】
本発明に係るフィルム製袋体によれば、装入口から収納物を装入し、この装入口を熱接着させることで収納物が収納されることとなり、従来のように装入口を封止する蓋部を折り返すような必要がなくなるため、商品等の収納物を袋体へ収納する作業効率に優れる。また、折り返された蓋部の厚みにより嵩張ることがなく、スペースを有効に利用して収納物である商品等を陳列することができる。
【００１３】
また、請求項２に記載されるフィルム製袋体には、前記袋体に収納物を陳列するための吊下用孔が設けられているため、店頭等に設けられたフック等に商品等が吊下陳列される場合に好適に使用することができる。
【００１４】
さらに、請求項３に記載されるように、前記装入口に段差が設けられるようにすれば、商品等の収納物を収納しやすくなるため、収納作業効率の向上が期待できる。また、請求項４に記載されるように、前記袋体は２軸延伸ポリプロピレンフィルムで構成されておれば、引張強度、耐熱性等に優れた袋体とすることができる。
【００１５】
また、本発明に係る商品収納方法によれば、フィルム製の袋体に形成された装入口より商品を装入し、該装入口を熱接着により封止することによって、商品を収納するようにしているため、従来のように装入口に設けられた蓋部により装入口を封止するという作業の必要がなくなり、商品収納の作業効率の向上につながる。
【発明を実施するための最良の形態】
【００１６】
以下、本発明に係るフィルム製袋体および商品陳列方法を図１〜図５を用いて詳細に説明する。
【００１７】
図１は、本実施形態に係るフィルム製袋体１０に収納物が収納される前の状態を示した外観斜視図であり、図２はフィルム製袋体１０の装入口２４の封止方法を説明するための図であり、図３はフィルム製袋体１０に収納物（本実施形態ではトレーディングカード９９）が収納された状態を示した外観斜視図である。
【００１８】
図から分かるように、本実施形態に係るフィルム製袋体１０は、袋部２０およびヘッダー部３０から構成されている。
【００１９】
本実施形態に係るフィルム製袋体１０は、２軸延伸ポリプロピレンフィルムにより形成され、袋部２０は、前面フィルム２２ａおよび後面フィルム２２ｂからなる。また、袋部２０のヘッダー部３０と連結されている反対側の端縁には、収納物を装入するための装入口２４が形成されている。ここで、図から分かるように、後面フィルム２２ｂは、前面フィルム２２ａより若干長く形成されているため、装入口２４は段差のある開口部となっている。
【００２０】
この袋部２０と一体的に形成されたヘッダー部３０は、その略中央部に吊下用孔３２が形成されている。この吊下用孔３２は、商品等の収納物を店頭に設けられたフック等に吊下陳列するために使用されるものである。
【００２１】
ここで、収納物であるトレーディングカード９９は、上記装入口２４より装入されるが、上述したように、装入口２４は段差のある開口部となっているため、収納物であるトレーディングカード９９をスムーズに装入することができる。
【００２２】
トレーディングカード９９の装入後、装入口２４は、図２に示される熱シール装置５０によって熱接着されることで封止され、図３に示されるように、トレーディングカード９９の収納が完了することとなる。
【００２３】
ここで、図２を参照し、装入口２４の封止方法について説明する熱シール装置５０は、熱シール機４０にステージ５２が連結され、このステージ５２に、アタッチメント部材５４、およびワーク固定用のバンド５６が取り付けられてなるものである。
【００２４】
熱シール機４０は、主に本体部４２および圧着レバー４４より構成される。本体部４２の上面には、フッ素樹脂シート４６が設けられおり、その側面には、接着温度を調節するための接着温度調節ツマミ４７が設けられている。一方、圧着レバー４４には、所定の接着幅を持たせた圧着部材４８が設けられている。
【００２５】
アタッチメント部材５４は、断面Ｌ字状の部材であり、図２に示される矢印Ｘの方向にステージ５２上をスライド可能に取り付けられている。このアタッチメント部材５４を熱接着させるフィルム製袋体１０の大きさに応じた位置で固定することで、ワークセット時の位置決めとすることができる。
【００２６】
このように構成される熱シール装置５０のステージ５２に、ワークであるフィルム製袋体１０を複数（本図では３個）並べて載置し、所定の接着温度に設定した後、圧着レバー４４を本体部４２の方向に押圧させる。これにより、前面フィルム２２ａと後面フィルム２２ｂが熱接着し、装入口２４は封止されると共に、接着部分より先端はフィルム製袋体１０より切り離されることとなる。
【００２７】
このように、本実施形態に係るフィルム製袋体１０は、従来のフィルム製袋体１００のように、装入口１１４を封止する際、袋部１１０と蓋部１１６の両側縁を合わせて貼着層１１８に貼りつけなければならないといった慎重を要する作業を必要としない。また、上記熱シール装置５０のような装置を使用すれば、一度に複数のフィルム製袋体１０の装入口２４を封止することが可能なため、収納作業の作業性を大きく向上させることができる。また、従来のフィルム製袋体１００のように、蓋部１１６や貼着層１１８を必要としないため、製造コストを大きく低減することができる。
【００２８】
また、収納物が収納されたフィルム製袋体１０は、上述したように吊下用孔３２により吊下陳列される。このフィルム製袋体１０がフック９０に複数（１０個）吊下陳列された状態を示した外観斜視図を図４（ａ）に示す。一方、比較として、図５（ｃ）に示した従来のフィルム製袋体１００を図４（ａ）に示したフィルム製袋体１０と同数（１０個）吊下陳列した場合の外観斜視図を図４（ｂ）に示す。
【００２９】
図からわかるように、本実施形態に係るフィルム製袋体１０には、蓋部１１６や貼着層１１８が設けられていないため、フィルム製袋体１００と比較し厚みが小さい。したがって、図に示されるように、複数を重ねて吊下陳列する際には、商品陳列スペースを大きく削減することができる。
【００３０】
また、従来のフィルム製袋体１００を陳列した場合、蓋部１１６が開放され、収納された商品が取り出されて盗難される場合があったが、本実施形態に係るフィルム製袋体１０の場合、鋏等で袋部２０を切断しなければ収納された商品を取り出すことができないため、盗難防止に大きく貢献する。
【００３１】
このように、本実施形態に係るフィルム製袋体１０によれば、装入口２４から収納物を装入し、この装入口２４を熱接着させることで収納物が収納されるため、従来のように装入口を封止するために設けられた蓋部を折り返すような作業の必要がないため、商品等の収納物を袋部２０へ収納する作業効率に優れる。また、折り返された蓋部の厚みにより嵩張ることがなく、限られた商品陳列スペースの有効利用に資するものである。  
【００３２】
また、本実施形態に係るフィルム製袋体１０によれば、収納物を陳列するための吊下用孔が設けられているため、店頭等に設けられたフック等に商品等が吊下陳列される場合に好適に使用することができる。
【００３３】
また、装入口２４には段差が設けられているため、商品等の収納物が収納しやすくなり、収納作業の効率が向上する。また、フィルム製袋体１０は、２軸延伸ポリプロピレンフィルムで構成されているため、引張強度、耐熱性等に優れている。
【００３４】
以上、本発明の実施の形態について詳細に説明したが、本発明は上記実施の形態に何ら限定されるものではなく、本発明の要旨を逸脱しない範囲で種々の改変が可能である。
【００３５】
例えば、上記実施形態では、フィルム製袋体１０に収納される収納物としてトレーディングカードを例示して説明したが、収納物はこれに限られるものではない。例えば、ＣＤ、ＤＶＤ、写真集、ゲームソフト等、店頭等において収納物が視認できるように陳列される商品であれば、本発明の技術的思想が適用可能である。
【００３６】
また、上記実施形態では、フィルム製袋体１０は、２軸延伸ポリプロピレンフィルムにより形成されていることを説明したが、熱接着により装入口２４を封止することができる熱可塑性樹脂であればこれに限られるものではない。さらに、紫外線吸収フィルムにより袋部２０を形成すれば、収納される商品等の紫外線による色褪せ等を防止することができる。
【００３７】
また、上記実施形態では、フィルム製袋体１０に吊下陳列用の吊下用孔３２が設けられていることを説明したが、収納物は必ずしも吊下陳列されるものに限られるものではない。つまり、店頭等において平積みされて陳列されるような商品についても本発明が適用可能であることは言うまでもない。
【図面の簡単な説明】
【００３８】
【図１】本発明の一実施形態に係るフィルム製袋体の収納物が収納される前の状態を示した外観斜視図である。
【図２】図１に示したフィルム製袋体の装入口の封止方法を説明した図である。
【図３】図１に示したフィルム製袋体に収納物が収納された状態を示した図である
【図４】図４（ａ）は図１に示したフィルム製袋体を吊下展示した場合の外観斜視図であり、図４（ｂ）は従来のフィルム製袋体を吊下展示した場合の外観斜視図である。
【図５】従来のフィルム製袋体への収納物の収納方法を説明するための外観斜視図である。
【符号の説明】
【００３９】
１０    フィルム製袋体
２０    袋部
２４    装入口
３０    ヘッダー部
３２    吊下用孔
【図１】
2008120419.tif 000003
【図２】
2008120419.tif 000004
【図３】
2008120419.tif 000005
【図４】
2008120419.tif 000006
【図５】
2008120419.tif 000007